(57)【要約】【課題】テンションナットの距離調整が容易な釣り用リールを提供する。【解決手段】ナット装着部を備えたフレーム；ナット装着部に螺合され、スプールシャフトの軸方向に距離調整が可能であり、内側にスプールシャフトの一端を加圧してスプールの回転力を調節するテンション調節部を備えたテンションナット；テンションナットの１回転あたりの移動距離が一定の距離よりも大きくまたは小さくなるようにする第１調節手段；および第１調節手段によるテンションナットの１回転あたりの移動距離とは逆に、テンションナットの１回転あたりの移動距離が一定の距離よりも小さくまたは大きくなるようにする第２調節手段；を含む釣り用リール。【選択図】図２
2020074770.tif 000002
【特許請求の範囲】
【請求項１】
ナット装着部を備えたフレーム；
前記ナット装着部に螺合され、スプールシャフトの軸方向に距離調整が可能であり、内側にスプールシャフトの一端を加圧してスプールの回転力を調節するテンション調節部を備えたテンションナット；
前記テンションナットの１回転あたりの移動距離が一定の距離よりも大きくまたは小さくなるようにする第１調節手段；および
前記第１調節手段によるテンションナットの１回転あたりの移動距離とは逆に、前記テンションナットの１回転あたりの移動距離が一定の距離よりも小さくまたは大きくなるようにする第２調節手段；を含むことを特徴とする、釣り用リール。
【請求項２】
前記ナット装着部は、第１ねじ山を含み、
前記テンションナットは、
第２ねじ山と、前記第１ねじ山に螺合される第３ねじ山と、を備えた第１胴部；および
前記テンション調節部と、前記第２ねじ山に螺合される第４ねじ山と、を備えた第１ダイヤル部を含むことで、
前記第１調節手段は前記第１ねじ山と第３ねじ山とで構成され、前記第２調節手段は前記第２ねじ山と第４ねじ山とで構成されることを特徴とする、請求項１に記載の釣り用リール。
【請求項３】
前記ナット装着部は、互いに離隔した第５ねじ山と第６ねじ山を含み、
前記テンションナットは、
前記第５ねじ山に螺合される第７ねじ山と、前記第６ねじ山に螺合される第８ねじ山とを含み、前記第７ねじ山が前記第５ねじ山に対して締め完了の後に離脱したとき、前記第８ねじ山が前記第６ねじ山に螺合されるように形成されることで、
前記第１調節手段は前記第５ねじ山と第７ねじ山とで構成され、前記第２調節手段は前記第６ねじ山と第８ねじ山とで構成されることを特徴とする、請求項１に記載の釣り用リール。
【請求項４】
前記ナット装着部は、第９ねじ山を含み、
前記テンションナットは、
アイドリング軸部と、前記テンション調節部と、前記第９ねじ山に螺合される第１０ねじ山と、を備えた第２胴部；
前記アイドリング軸部に回転可能に結合される第２ダイヤル部；および
前記第２胴部と前記第２ダイヤル部との間に介在され、第２胴部に対して第２ダイヤル部が回転しないように弾性力を発揮して、一定の圧力以下では前記第２ダイヤル部により前記第２胴部が一緒に回転するようにし、一定の圧力以上では前記第２ダイヤル部が前記第２胴部でアイドリングするようにする弾性加圧部材；を含むことで、
前記第１調節手段は前記第９ねじ山と第１０ねじ山で構成され、前記第２調節手段は前記弾性加圧部材で構成されることを特徴とする、請求項１に記載の釣り用リール。
【発明の詳細な説明】
【技術分野】
【０００１】
本発明は、テンションナットの距離調整が容易な釣り用リールに係り、より詳細には、ナット装着部を備えたフレーム；前記ナット装着部に螺合され、スプールシャフトの軸方向に距離調整が可能であり、内側にスプールシャフトの一端を加圧してスプールの回転力を調節するテンション調節部を備えたテンションナット；前記テンションナットの１回転あたりの移動距離が一定の距離よりも大きくまたは小さくなるようにする第１調節手段；および前記第１調節手段によるテンションナットの１回転あたりの移動距離とは逆に、前記テンションナット（ＴＮ）の１回転あたりの移動距離が一定の距離よりも小さくまたは大きくなるようにする第２調節手段；を含み、テンションナットの１回転あたりの移動距離が互いに異なるように設定された第１、第２調節手段を介して、テンションナットの組立をより迅速に行うことができるとともに、テンションナットを用いてスプールへのテンション力を微細に調節して使用することができる、テンションナットの距離調整が容易な釣り用リールに関する。
【背景技術】
【０００２】
一般に、ベイトキャスティングリール（以下、「釣り用リール」という）は、スプールの制動方式などに違いがあるだけであり、図１に示すように、大きくは、スプール１１が装着されたフレーム１０、前記フレーム１０の一側面に結合されたギア（ｇｅａｒ）側第１サイドカバー１３、前記フレーム１０の他側面に結合されたパーム（ｐａｌｍ）側第２サイドカバー１４、および前記第１サイドカバー１３に備えられたハンドル１５を含む。
このような釣り用リールは、スプールシャフト１２の端部に圧力を与えるテンションナットＴＮが、第１サイドカバー１３に備えられたナット装着部２０に結合され、テンションナットＴＮで、釣り糸が巻き取られたり繰り出されたりするスプール１１のテンション力を調節することにより、スプール１１の回転速度を調節することができる。
【０００３】
このとき、テンションナットＴＮを用いたテンション力の調節は、ユーザがテンションナットＴＮを双方向に回転させてねじを締める程度によって異なり、具体的には、前記テンションナットＴＮをナット装着部２０の内側方向に締めると、スプールシャフト１２の両端部への圧力（テンション力）が増加することによりスプール１１の回転速度が遅くなり、逆にテンションナットＴＮをナット装着部２０の外側方向に緩めると、スプールシャフト１２の両端部への圧力が減少することによりスプール１１の回転速度が速くなる。
【０００４】
ところが、図１の拡大図から確認できるように、従来の釣り用リールには、テンションナットＴＮとナット装着部２０に、螺合可能にする単一ねじ山Ｓ１、Ｓ２のみが備えられており、テンションナットＴＮの距離（すなわち、テンション力）を微調整することが難しいという欠点があり、また、釣り用リールのメンテナンスのためにテンションナットＴＮを分離の後に再び組み立てるときにテンションナットＴＮを一定の距離以上締めるのに多くの時間がかかるという問題点がある。
【０００５】
すなわち、従来の釣り用リールにおいて、テンションナットＴＮは、ナット装着部２０に単一ねじ構造で結合されることにより、１回転あたりの移動距離（ピッチ（ｐｉｔｃｈ））が一定なので、ピッチが大きい場合には、テンションナットＴＮの再組立が速くなるものの、距離微調整に不利であり、逆にピッチが小さい場合には、距離微調整が有利であるものの、テンションナットＴＮを再び組み立てるときに多くの時間がかかるという欠点がある。
【０００６】
ちなみに、このようなテンションナットＴＮに関連する従来技術として、特許文献１、特許文献２、特許文献３などがある。
【先行技術文献】
【特許文献】
【０００７】
【特許文献１】韓国登録特許第１０−１２１８３１５号公報
【特許文献２】韓国公開実用新案第２０−２０１１−０００５４００号明細書
【特許文献３】韓国登録特許第１０−１１８５１０３号公報
【発明の概要】
【発明が解決しようとする課題】
【０００８】
そこで、本発明は、かかる問題点を解決するためになされたもので、その目的は、ナット装着部に螺合されるテンションナットに、１回転あたりの移動距離が互いに異なるように形成された２重ピッチ構造を適用することにより、テンションナットをより迅速に組み立てることができるとともに、ユーザがテンション力を微調整して使用することができる、テンションナットの距離調整が容易な釣り用リールを提供することにある。
【課題を解決するための手段】
【０００９】
上記目的を達成するために、本発明に係る釣り用リールは、
ナット装着部を備えたフレーム；
前記ナット装着部に螺合され、スプールシャフトの軸方向に距離調整が可能であり、内側にスプールシャフトの一端を加圧してスプールの回転力を調節するテンション調節部を備えたテンションナット；
前記テンションナットの１回転あたりの移動距離が一定の距離よりも大きくまたは小さくなるようにする第１調節手段；および
前記第１調節手段によるテンションナットの１回転あたりの移動距離とは逆に、前記テンションナットの１回転あたりの移動距離が一定の距離よりも小さくまたは大きくなるようにする第２調節手段；を含むことを特徴とする。
【００１０】
本発明に係る釣り用リールにおいて、
前記ナット装着部は、第１ねじ山を含み、
前記テンションナットは、
第２ねじ山と、前記第１ねじ山に螺合される第３ねじ山と、を備えた第１胴部と、
前記テンション調節部と、前記第２ねじ山に螺合される第４ねじ山を備えた第１ダイヤル部と、を含むことで、
前記第１調節手段は前記第１ねじ山と第３ねじ山で構成され、前記第２調節手段は前記第２ねじ山と第４ねじ山で構成されることを特徴とする。
【００１１】
また、本発明に係る釣り用リールにおいて、
前記ナット装着部は、互いに離隔した第５ねじ山と第６ねじ山とを含み、
前記テンションナットは、前記第５ねじ山に螺合される第７ねじ山と前記第６ねじ山に螺合される第８ねじ山とを含み、前記第７ねじ山が前記第５ねじ山に対して締め完了の後に離脱した場合、前記第８ねじ山が前記第６ねじ山に螺合されるように形成されることで、
前記第１調節手段は前記第５ねじ山と第７ねじ山とで構成され、前記第２調節手段は前記第６ねじ山と第８ねじ山とで構成されることを特徴とする。
【００１２】
また、本発明に係る釣り用リールにおいて、
前記ナット装着部は、第９ねじ山を含み、
前記テンションナットは、アイドリング軸部と、前記テンション調節部と、前記第９ねじ山に螺合される第１０ねじ山と、を備えた第２胴部；前記アイドリング軸部に回転可能に結合される第２ダイヤル部；および前記第２胴部と前記第２ダイヤル部との間に介在され、第２胴部に対して第２ダイヤル部が回転しないように弾性力を発揮して、一定の圧力以下では前記第２ダイヤル部により前記第２胴部が一緒に回転するようにし、一定の圧力以上では前記第２ダイヤル部が前記第２胴部でアイドリングするようにする弾性加圧部材；を含むことで、
前記第１調節手段は前記第９ねじ山と第１０ねじ山で構成され、前記第２調節手段は前記弾性加圧部材で構成されることを特徴とする。
【発明の効果】
【００１３】
本発明に係る釣り用リールは、互いに異なるピッチを有する第１、第２調節手段を導入して、各調節手段によってテンションナットの移動距離が変わり、ピッチの長い第１調節手段でテンションナットを迅速に分離ないし組立可能にしつつ、ピッチの短い第２調節手段でテンションナットの移動距離を微調整することにより、ユーザがテンション力をより正確に調節して使用することができるという効果がある。
【図面の簡単な説明】
【００１４】
【図１】従来の釣り用リールの構造を示す断面図である。
【図２】本発明の第１実施形態を示す要部断面図である。
【図３】本発明の第１実施形態を示す要部断面図である。
【図４】本発明の第１実施形態を示す要部断面図である。
【図５】本発明の第１実施形態を示す要部断面図である。
【図６】本発明の第２実施形態を示す要部断面図である。
【図７】本発明の第２実施形態を示す要部断面図である。
【図８】本発明の第２実施形態を示す要部断面図である。
【図９】本発明の第２実施形態を示す要部断面図である。
【図１０】本発明の第２実施形態を示す要部断面図である。
【図１１】本発明の第２実施形態を示す要部断面図である。
【図１２】本発明の第３実施形態を示す要部断面図である。
【図１３】本発明の第３実施形態を示す要部断面図である。
【図１４】本発明の第３実施形態を示す要部断面図である。
【図１５】本発明の第３実施形態を示す要部断面図である。
【図１６】本発明の第３実施形態を示す要部断面図である。
【図１７】本発明の第３実施形態を示す要部断面図である。
【図１８】本発明の第３実施形態を示す要部断面図である。
【発明を実施するための形態】
【００１５】
本発明は多様な変更を加えることができ、様々な形態を持つことができるので、その具現例（態様、ａｓｐｅｃｔ）（または実施形態）をここに詳細に説明する。ところが、これは本発明を特定の開示形態に限定しようとするものではなく、本発明の思想および技術範囲に含まれるすべての変更、均等物または代替物を含むものと理解されるべきである。
【００１６】
各図面において、同一の参照符号、特に十の桁および一の桁、または十の桁、一の桁およびアルファベットが同じである参照符号は、同一または類似の機能を持つ部材を示し、特に明記がない場合、図面の各参照符号が指し示す部材は、このような基準に準ずる部材として把握すればよい。
また、各図面において、構成要素は、理解の便宜などのために、大きさや厚さを誇張して大きく（または厚く）または小さく（または薄く）表現しているか単純化して表現しているが、これによって本発明の保護範囲が制限的に解釈されてはならない。
【００１７】
本明細書で使用した用語は、特定の具現例（態様、ａｓｐｅｃｔ）（または実施形態）を説明するために使用されたもので、本発明を限定しようとするものではない。単数の表現は、文脈上特に明記しない限り、複数の表現を含む。
本出願において、「含む」または「からなる」などの用語は、明細書上に記載された特徴、数字、段階、動作、構成要素、部分品またはこれらの組み合わせが存在することを指定しようとするものであり、一つまたはそれ以上の他の特徴、数字、段階、動作、構成要素、部分品またはこれらの組み合わせなどの存在または付加の可能性を予め排除しないものと理解されるべきである。
【００１８】
特に他に定義しない限り、技術用語や科学用語を含めてここで使われるすべての用語は、本発明の属する技術分野における通常の知識を有する者によって一般的に理解されるのと同じ意味を持っている。一般に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
本明細書において記載した「第１」、「第２」などは、互いに異なる構成要素を区分するためのものに過ぎず、製造された順序に拘らないものであり、発明の詳細な説明と請求の範囲においてその名称が一致しないこともある。
【００１９】
本発明に係るテンションナットの距離調整が容易な釣り用リールを説明するにあたり、便宜のために厳密でないおよその方向基準を、図２を参照して特定すれば、重力が作用する方向を下方にして見える方向のままに上下左右を定め、他の図面に関連した発明の詳細な説明および請求の範囲でも、他の特別な言及がない限り、この基準に基づいて方向を特定して記述する。
【００２０】
以下、本発明に係るテンションナットの距離調整が容易な釣り用リールを、添付図面を参照して説明する。
【００２１】
本発明は、図１に示すように、ナット装着部２０、２０Ａ、２０Ｂを備えたフレーム１０と；前記ナット装着部２０、２０Ａ、２０Ｂに螺合され、スプールシャフト１２の軸方向に距離調整が可能であり、内側にスプールシャフト１２の一端を加圧してスプール１１の回転力を調節するテンション調節部Ｗを備えたテンションナットＴＮと；を含む釣り用リールに関するもので、
図２ないし図１８に示すように、前記テンションナットＴＮの１回転あたりの移動距離が一定の距離よりも大きくまたは小さくなるようにする第１調節手段；および前記第１調節手段によるテンションナットＴＮの１回転あたりの移動距離とは逆に、前記テンションナットＴＮの１回転あたりの移動距離が一定の距離よりも小さくまたは大きくなるようにする第２調節手段；をさらに含むことを特徴とする。
【００２２】
ここで、第１調節手段と第２調節手段が、テンションナットＴＮの１回転あたりの移動距離が互いに逆となるというのは、第１調節手段による移動距離が一定の距離よりも大きければ、第２調節手段による移動距離が一定の距離よりも小さく、逆に第１調節手段による移動距離が一定の距離よりも小さければ、第２調節手段による移動距離が一定の距離よりも大きいことを意味する。すなわち、第１、第２調節手段は、テンションナットＴＮの１回転あたりの移動距離が互いに異なるように形成されることを意味し、以下説明する実施形態（特に第１実施形態）では、第１調節手段による移動距離が第２調節手段による移動距離よりも大きくなることを代表して説明するが、逆の場合も可能である。
【００２３】
まず、図２ないし図５に示すように、本発明の第１実施形態において、
前記ナット装着部２０は、第１ねじ山２１を含み、
前記テンションナットＴＮは、
第２ねじ山３２と、前記第１ねじ山２１に螺合される第３ねじ山３１とを備えた第１胴部３０Ａ、３０Ｂ、および
前記テンション調節部Ｗと、前記第２ねじ山３２に螺合される第４ねじ山４１とを備えた第１ダイヤル部４０Ａ、４０Ｂを含むことで、
前記第１調節手段は、前記第１ねじ山２１と第３ねじ山３１（第１螺合部、以下、互いに螺合されるねじ山をそれぞれの螺合部という。）で構成され、前記第２調節手段は、前記第２ねじ山３２と第４ねじ山４１（第２螺合部）で構成されることを特徴とする。
【００２４】
具体的には、前記ナット装着部２０の外周面には第１ねじ山２１が備えられ、前記第１螺合部の螺旋溝（すなわち、スレッド歯同士の間隔）の幅は一定の距離よりも大きく形成され、前記第１胴部３０Ａ、３０Ｂを１回転させたときに、テンションナットＴＮ全体が第２調節手段に比べて相対的に遠距離（例えば、一定の距離０．３０ｍｍを基準とすれば、約０．４０〜０．５０ｍｍ）を移動する。
【００２５】
前記第１胴部３０Ａ、３０Ｂは、中空部３３が貫通して形成されたパイプ形状をし、内側（図面上の下側）に直径が前記ナット装着部２０の外径に相応する第１大内径部３４と、前記第１大内径部３４の外側（図面上の上側）に連結されるが、前記第１大内径部３４よりも直径が小さい第１小内径部３５とから構成され、前記第１大内径部３４の内周面に前記第３ねじ山３１が備えられ、前記第１小内径部３５の内周面に前記第２ねじ山３２が備えられる。
この時、前記第２螺合部の螺旋溝の幅は一定の距離よりも小さく形成され、前記第１ダイヤル部４０Ａ、４０Ｂを１回転させたときに、第１ダイヤル部４０Ａ、４０Ｂが第１調節手段に比べて相対的に近距離（例えば、一定の距離０．３０ｍｍを基準とすれば、約０．１０〜０．２０ｍｍ）を移動する。
【００２６】
前記第１ダイヤル部４０Ａ、４０Ｂは、前記中空部３３に挿入されて螺合されるキャップ形状をし、第１胴部３０Ａ、３０Ｂの回転時には、第１ダイヤル部４０Ａ、４０Ｂが一緒に移動し、第１ダイヤル部４０Ａ、４０Ｂの回転時には、第１胴部３０Ａ、３０Ｂが移動せずに第１ダイヤル部４０Ａ、４０Ｂのみが移動する。
【００２７】
図２および図３に示された第１ダイヤル部４０Ａは、縁部には前記第１小径部３５の外周面を包むように内側に折り曲げられて連結された第１スカート部４２が備えられ、内側面には第１突出部４３が突設され、第１スカート部４２と第１突出部４３との間には前記第１小内径部３５が挿入される第１嵌め込み部４４が設けられ、前記第１突出部４３の中央には前記テンション調節部Ｗが突設され、第１突出部４３の外周面には前記第４ねじ山４１が備えられる。
前記テンション調節部Ｗは、スプールシャフト１２への加圧方式に応じて様々な構造ないし形態を取ることができる。本明細書の図面では、テンション調節部Ｗとして、スプールシャフト１２の一端が挿入される二重ワッシャーが代表的に示されているが、これに限定されない。
前記第１ダイヤル部４０Ａは、第１スカート部４２が第１胴部３０Ａに外挿されることにより、ユーザが第１スカート部４２のみを掴んで第１胴部３０Ａとは別に第１ダイヤル部４０Ａだけを回転させることができる。
【００２８】
また、図４および図５に示された第１ダイヤル部４０Ｂは、縁部に前記第１スカート部４２なしに第１突出部４３のみを備え、第１胴部３０Ｂの中空部３３に挿入されて螺合される。
第１胴部３０Ｂは、第１小内径部３５の内側溝に前記第２ねじ山３２が備えられ、
第１ダイヤル部４０Ｂは、第１突出部４３の縁部に、前記第１小内径部３５の内側溝に挿入されるフランジ部４３ａが突設され、フランジ部４３ａの外周面に前記第４ねじ山４１が備えられる。
【００２９】
前記第１ダイヤル部４０Ｂは、外側面に一字状の溝などの工具挿入溝４６を備え、ドライバやコインなどで回転可能にすることもでき、または、図５の破線で示すように、第１胴部３０Ｂの外側に露出するように突出した把持部４５ａを備え、把持部４５ａを掴んで回転可能にすることもできる。
このとき、前記第１ダイヤル部４０Ｂに前記把持部４５ａが備えられる場合、把持部４５ａを第１胴部３０Ｂの外径よりも小さい外径に形成することにより、第１胴部３０Ｂを掴んで回転させたとき、第１ダイヤル部４０Ｂが第１胴部３０Ｂとは別に回転することを防止することが好ましい。
【００３０】
図２および図３に示された実施形態と図４および図５に示された実施形態とは、胴部とダイヤル部の具体的な形状において違いがあるだけで、互いに異なるピッチを有する第１、第２調節手段を用いて、テンションナットＴＮ（より厳密には、テンション調節部Ｗ）の移動距離が異なるように形成されるという特徴は同様である。
このような第１実施形態は、
第１胴部３０Ａ、３０Ｂを回転させてテンションナットＴＮをナット装着部２０に螺合させると、第１調節手段（第１螺合部）の大きいピッチにより、テンションナットＴＮ全体が結合完了位置まで移動するのに必要な回転数は少なくなりテンションナットＴＮをより迅速に組み立てることができるとともに、第１胴部３０Ａ、３０Ｂだけの回転移動によってテンション力の加減範囲を大きく調節することができ、
テンションナットＴＮの組立完了の後、第１ダイヤル部４０Ａ、４０Ｂだけを回転させると、第２調節手段（第２螺合部）の小さいピッチにより、テンション調節部Ｗの移動距離を微調整してテンション力の加減範囲を小さく調節することができるため、テンション力の調節をより速く且つ正確に変更できるようにする。
【００３１】
このような第１実施形態において、第１、第３ねじ山２１、３１のピッチと、第２、第４ねじ山３２、４１のピッチとは、先に説明したのと逆にしてもよい。すなわち、第１螺合部のピッチを短くし、第２螺合部のピッチを長くして、テンションナットＴＮをナット装着部２０に組み立てた状態で第１ダイヤル部４０Ａ、４０Ｂを用いてテンション調節部Ｗを少ない回数で速く回転移動させた後、第１胴部３０Ａ、３０Ｂを用いてテンション調節部Ｗを微細に回転させて位置調整することも可能である。
【００３２】
次に、図６ないし図１１に示すように、本発明の第２実施形態においては、
前記ナット装着部２０Ａ、２０Ｂは、互いに離隔した第５ねじ山２２と第６ねじ山２３を含み、
前記テンションナットＴＮは、前記第５ねじ山２２に螺合される第７ねじ山５１と、前記第６ねじ山２３に螺合される第８ねじ山５２とを含むが、
前記第７ねじ山５１が前記第５ねじ山２２に対して締め完了の後に離脱したとき、前記第８ねじ山５２が前記第６ねじ山２３に螺合されるように形成され、
前記第１調節手段は前記第５ねじ山２２と第７ねじ山５１（第３螺合部）で構成され、前記第２調節手段は前記第６ねじ山２３と第８ねじ山５２（第４螺合部）で構成されることを特徴とする。
前記ナット装着部２０Ａ、２０Ｂは、前記ナット装着部２０とは異なり、互いに離隔した二重ねじ山を備えたものである。
【００３３】
図６ないし図８に示されたナット装着部２０Ａは、内側の大外径部２４と、前記大外径部２４の外側（図面上の上側）に連結され、前記大外径部２４よりも直径が小さい小外径部２５とで構成され、前記大外径部２４の外周面に前記第５ねじ山２２が備えられ、前記小外径部２５の外周面に前記第６ねじ山２３が備えられる。
図６ないし図８に示されたテンションナットＴＮは、前記ナット装着部２０Ａの内径に挿入されて螺合されるキャップ形状のナット本体５０Ａであって、ナット本体５０Ａの縁部には、前記ナット装着部２０Ａの外周面を包むように内側に折り曲げられて連結された第２スカート部５３を備え、中央内側面には、テンション調節部Ｗを備えた第２突出部５６を備える。
【００３４】
前記第２スカート部５３は、前記大外径部２４の外径に相応する第２大内径部５４と、前記第２大内径部５４の外側（図面上の上側）に連結され、前記小外径部２５の外径に相応する第２小内径部５５とで構成され、前記第２大内径部５４の内周面に前記第７ねじ山５１が備えられ、前記第２小内径部５５の内周面に前記第８ねじ山５２が備えられる。
また、第２突出部５６と第２スカート部５３との間には、第２小内径部５５と同じ高さで突出した内壁部５７が備えられ、これにより、第２スカート部５３と内壁部５７との間には、前記小外径部２５が嵌め込まれる第２嵌め込み部５８が形成される。
【００３５】
一方、図９ないし図１１に示されたナット装着部２０Ｂは、一字状の側壁体であって、ナット装着部２０Ｂの外周面に前記第５ねじ山２２が備えられ、ナット装着部２０Ｂの内周面に前記第６ねじ山２３が備えられることにより、第５、第６ねじ山２２、２３が同じ高さに形成される。
図９ないし図１１に示されたナット本体５０Ｂは、前記ナット本体５０Ａと同様の第２スカート部５３を備えたものである。但し、第２スカート部５３の内周面に前記第７ねじ山５１が備えられ、前記テンション調節部Ｗを備えた第２突出部５６の外周面に前記第８ねじ山５２が備えられ、内壁部５７なしに第２突出部５６と第２スカート部５３との間に前記第２嵌め込み部５８が形成されるという点において違いがある。
【００３６】
このとき、本発明の第２実施形態において、前記第３螺合部および第４螺合部の各螺旋溝の幅は、前記第１螺合部および第２螺合部と同じ大きさの関係（すなわち、第３螺合部のピッチが第４螺合部のピッチよりも長く形成される。）を持つ。
また、本発明の第２実施形態において、前記第７ねじ山５１と第８ねじ山５２との離隔距離が、前記第５ねじ山２２の全区間距離よりも大きく形成されることを特徴とする。
【００３７】
このような第２実施形態は、
テンションナットＴＮ、すなわち、前記ナット本体５０Ａ、５０Ｂをナット装着部２０Ａ、２０Ｂに螺合すると、まず、第１調節手段（第３螺合部）の大きいピッチにより、テンションナットＴＮが結合完了位置まで移動するのに必要な回転数が減少してテンションナットＴＮをより迅速に組み立てることができ、
テンションナットＴＮの組立が完了すると、第７ねじ山５１が第５ねじ山２２から離脱してナット本体５０Ａ、５０Ｂがナット装着部２０Ａ、２０Ｂでアイドリングすることが可能となり、このとき、ナット本体５０Ａ、５０Ｂを内側に押して継続的に締め付けると、第８ねじ山５２が前記第６ねじ山２３に螺合される。このようにテンションナットＴＮの組立が完了した状態でナット本体５０Ａ、５０Ｂを回転させると、第２調節手段（第４螺合部）の小さいピッチにより、テンション調節部Ｗの移動距離を微調整してテンション力の加減範囲を小さく調節することができるため、テンション力の調節をより正確に変更することができる。
【００３８】
次に、図１２ないし図１８に示すように、本発明の第３実施形態において、
前記ナット装着部２０は、第９ねじ山２６を含み、
前記テンションナットＴＮは、
アイドリング軸部６１と、前記テンション調節部Ｗと、前記第９ねじ山２６に螺合される第１０ねじ山６２とを備えた第２胴部６０Ａ、６０Ｂ；
前記アイドリング軸部６１に回転可能に結合される第２ダイヤル部７０Ａ、７０Ｂ；および
前記第２胴部６０Ａ、６０Ｂと前記第２ダイヤル部７０Ａ、７０Ｂとの間に介在されるが、第２胴部６０Ａ、６０Ｂに対して第２ダイヤル部７０Ａ、７０Ｂが回転しないように弾性力を発揮して、一定の圧力以下では前記第２ダイヤル部７０Ａ、７０Ｂによって前記第２胴部６０Ａ、６０Ｂが一緒に回転するようにし、一定の圧力以上では前記第２ダイヤル部７０Ａ、７０Ｂが前記第２胴部６０Ａ、６０Ｂでアイドリングするようにする弾性加圧部材８０；を含むことで、
前記第１調節手段は前記第９ねじ山２６と第１０ねじ山６２（第５螺合部）で構成され、前記第２調節手段は前記弾性加圧部材８０で構成されることを特徴とする。
具体的には、前記ナット装着部２０の外周面には第９ねじ山２６が備えられ、前記第５螺合部の螺旋溝の幅は前記第１、第３螺合部と同様に（すなわち、微調整ができるようにピッチが短く）形成される。
【００３９】
前記第２胴部６０Ａ、６０Ｂは、前記ナット本体５０Ａ、５０Ｂと同様に前記ナット装着部２０の外周面に挿入されて螺合されるキャップ形状をし、スカート部の内周面に前記第１０ねじ山６２が備えられ、内側面の中央には前記テンション調節部Ｗを備えた突出部が備えられ、但し、外側面には突設または凹設されたアイドリング軸部６１が備えられるという点において、ナット本体５０Ａ、５０Ｂとの違いがある。
【００４０】
図１２ないし図１７に示された第２胴部６０Ａは、外側面にアイドリング軸部６１が突起状に突設され、図１８に示された第２胴部６０Ｂは、外側面にアイドリング軸部６１が溝状に凹設されていることを確認することができる。
前記第２ダイヤル部７０Ａ、７０Ｂは、前記第２胴部６０Ａ、６０Ｂの外周面に挿入されて螺合されるキャップ形状をし、前記アイドリング軸部６１に雌雄結合されてアイドリング軸部６１を軸として回転可能にする軸挿入部を備える。
【００４１】
図１２ないし図１７に示された第２ダイヤル部７０Ａには、内外側面を貫通して突起状のアイドリング軸部６１が挿入される軸挿入部７１が備えられ、図１８に示された第２ダイヤル部７０Ｂには、内側面から突出状に突出して溝状のアイドリング軸部６１に挿入される軸挿入部７１が備えられていることを確認することができる。
【００４２】
前記弾性加圧部材８０は、所定の弾性力を有するゴムなどの材質からなり、前記第２胴部６０Ａ、６０Ｂまたは前記アイドリング軸部６１に嵌められ、第２ダイヤル部７０Ａ、７０Ｂがアイドリングしないように弾性力を発揮する弾性リング８１を含む。
さらに、前記弾性加圧部材８０は、前記第２胴部６０Ａ、６０Ｂの一側面で前後進して出没するように結合された弾支ピン８２と、前記弾支ピン８２を外側に加圧して、弾支ピン８２が前記第２胴部６０Ａ、６０Ｂの係止溝（図示せず）に挿入されるように弾支する弾性体８３とをさらに含み、前記弾支ピン８２と弾性体８３は一種のボールスプリングと同様の機能をする。
【００４３】
図１２および図１３には、第２胴部６０Ａの外周面に前記弾性リング８１が嵌められて第２ダイヤル部７０Ａの嵌め込み溝７２に弾性リング８１がかかって収容されている。
このような第３実施形態は、前記弾性リング８１の弾性力（摩擦力）により前記第２ダイヤル部７０Ａが第２胴部６０Ａに拘束され、強い外力が作用しない限りは第２ダイヤル部７０Ａのみが個別に回転せず、第２胴部６０Ａと一緒に回転する。
【００４４】
したがって、上述した構成の第２ダイヤル部７０Ａを掴んでテンションナットＴＮをナット装着部２０に挿入して螺合すると、第１０ねじ山６２が第９ねじ山２６の端まで締め付けられる前には、第１調節手段（第５螺合部）によって発生する抵抗力が前記弾性リング８１の弾性力よりも小さいため、一定以下の小さい圧力でテンションナットＴＮ全体が速く回転してテンションナットＴＮをより迅速に組み立てることができる。
【００４５】
テンションナットＴＮが一定の高さまで螺合完了した状態で継続的に第２ダイヤル部７０Ａを掴んで回転させると、ねじ締めにより発生する圧力が前記弾性リング８１の弾性力よりも大きくなり、第２胴部６０Ａに対して第２ダイヤル部７０Ａのみがアイドリングするが、この状態で第２ダイヤル部７０Ａを左右に回転させると、第２調節手段（弾性加圧部材８０）により発生する摩擦力によって第２胴部６０Ａが第２ダイヤル部７０Ａよりも相対的に遅い速度で微細回転する（または回転が停止する）ことにより、第２ダイヤル部７０Ａの１回転あたりの第２胴部６０Ａが移動する距離が減少し、テンション調節部Ｗの移動距離を微調整してテンション力の加減範囲を小さく調節することができる。
【００４６】
つまり、第３実施形態のテンションナットＴＮをナット装着部２０に組み立てるとき、最初の結合高さから下側の一定の高さ区間では螺合による摩擦力が小さいため、第２ダイヤル部７０Ａの回転力が第２胴部６０Ａにそのまま伝達されることにより、第２ダイヤル部７０Ａと第２胴部６０Ａとが一対一に対応して一緒に回転し、
テンション調節部Ｗにスプールシャフト１２の一端が接触してねじ締めによる摩擦力が大きくなる最後の区間では回転に抵抗する圧力（すなわち、テンションナットＴＮを回転させる圧力）が弾性リング８１の弾性力よりも大きくなり、第２ダイヤル部７０Ａの回転力が第２胴部６０Ａにそのまま伝達されないことにより、第２ダイヤル部７０Ａが第２胴部６０Ａよりもさらに多く回転（または第２胴部６０Ａの回転が停止）し、結局、第２ダイヤル部７０Ａが回転する数に比べて、第２胴部６０Ａが回転して移動する距離が減少し、第５螺合部の第１調節手段に比べて、弾性リング８１からなる第２調節手段のピッチが減少する効果を提供する。
【００４７】
一方、図１４の第３実施形態は、図１２、図１３の変形例であって、前記弾性リング８１の他に前記弾支ピン８２と弾性体８３とが組み合わせられて構成されている。
このような第３実施形態は、前記弾性リング８１の摩擦力および前記弾支ピン８２の係止構造により第２ダイヤル部７０Ａが第２胴部６０Ａに拘束され、強い外力が作用しない限りは第２ダイヤル部７０Ａのみが個別に回転せず、第２胴部６０Ａと一緒に回転する。したがって、前述した構成の第２ダイヤル部７０Ａを掴んでテンションナットＴＮをナット装着部２０に挿入して螺合すると、前述した弾性リング８１の弾性力と弾支ピン８２の係止構造が同時に作用して第１０ねじ山６２が第９ねじ山２６の端まで締め付けられる前には、第２ダイヤル部７０Ａと第２胴部６０Ａが一緒に回転して小さい圧力でテンションナットＴＮをより速く組み立てることができる。
【００４８】
テンションナットＴＮが一定の高さまで螺合完了した状態で継続的に第２ダイヤル部７０Ａを掴んで回転させると、ねじ締めにより発生する圧力が前記弾性リング８１の弾性力よりも大きくなるとともに、回転圧力の増加により弾支ピン８２が後進して係止溝から離脱することにより、第２胴部６０Ａに対して第２ダイヤル部７０Ａのみがアイドリングするが、この状態で第２ダイヤル部７０Ａを左右に回転させると、第２ダイヤル部７０Ａの１回転あたりの第２胴部６０Ａが回転して移動する距離が減少することにより、テンション調節部Ｗの移動距離を微調整してテンション力の加減範囲を小さく調節することができる。
【００４９】
図１５の第３実施形態は、図１４の変形例であって、工具挿入溝を有する回転板７３が前記第２胴部６０Ａのアイドリング軸部６１の収容溝に嵌め込まれて結合され、回転板７３と第２胴部６０Ａとの間に前記弾性リング８１がさらに介在されている。
このような第３実施形態は、先立って説明した原理で、第１、第２調節手段を用いたピッチ調節が可能であるのはもとより、第２ダイヤル部７０Ａではなく、回転板７３だけを回転させて第２胴部６０Ａの移動距離をより微調整することができる。
【００５０】
図１６の第３実施形態は、図１２、図１３の変形例であって、弾性リング８１がアイドリング軸部６１と軸挿入部７１との間に介在される点において違いがあるだけで、作動方式ないし原理は同様である。
【００５１】
図１７の第３実施形態は、図１６の変形例であって、弾支ピン８２と弾性体８３が追加される点において違いがあるだけで、作動方式ないし原理は同様である。
【００５２】
図１８の第３実施形態は、図１７の変形例であって、アイドリング軸部６１と軸挿入部７１との雌雄結合構造が逆である点において違いがあるだけで、作動方式ないし原理は同様である。
【００５３】
前述した構成の本発明は、互いに異なるピッチが形成されるようにする第１、第２調節手段を用いて、第１、第２調節手段の選択でテンション調節部Ｗの移動距離を遠距離または近距離に制御することにより、テンションナットＴＮの組立をより容易かつ迅速にしながら、スプールシャフト１２を加圧するテンション調節部Ｗの位置調整をさらに細密に行い、テンション力の微調整を可能にする。
【００５４】
以上で本発明を説明するにあたり、添付図面を参照して、テンションナットの距離調整が容易な釣り用リールを中心に説明したが、本発明は当業者によって様々な修正、変更および置換が可能であり、それらの修正、変更および置換も本発明の保護範囲に属すると解釈されるべきである。
【符号の説明】
【００５５】
１０                  フレーム
１１                  スプール
１２                  スプールシャフト
１３、１４            サイドカバー
１５                  ハンドル
２０、２０Ａ、２０Ｂ  ナット装着部
２１                  第１ねじ山
２２                  第５ねじ山
２３                  第６ねじ山
２４                  大外径部
２５                  小外径部
２６                  第９ねじ山
３０Ａ、３０Ｂ        第１胴部
３１                  第３ねじ山
３２                  第２ねじ山
３３                  中空部
３４                  第１大内径部
３５                  第１小内径部
４０Ａ、４０Ｂ        第１ダイヤル部
４１                  第４ねじ山
４２                  第１スカート部
４３                  第１突出部
４３ａ                フランジ部
４４                  第１嵌め込み部
４５ａ                把持部
４６                  工具挿入溝
５０Ａ、５０Ｂ        ナット本体
５１                  第７ねじ山
５２                  第８ねじ山
５３                  第２スカート部
５４                  第２大内径部
５５                  第２小内径部
５６                  第２突出部
５８                  第２嵌め込み部
６０Ａ、６０Ｂ        第２胴部
６１                  アイドリング軸部
６２                  第１０ねじ山
７０Ａ、７０Ｂ        第２ダイヤル部
７１                  軸挿入部
７２                  嵌め込み溝
７３                  回転板
８０                  弾性加圧部材
８１                  弾性リング
８２                  弾支ピン
８３                  弾性体
Ｗ                    テンション調節部
ＴＮ                  テンションナット
【図１】
2020074770.tif 000003
【図２】
2020074770.tif 000004
【図３】
2020074770.tif 000005
【図４】
2020074770.tif 000006
【図５】
2020074770.tif 000007
【図６】
2020074770.tif 000008
【図７】
2020074770.tif 000009
【図８】
2020074770.tif 000010
【図９】
2020074770.tif 000011
【図１０】
2020074770.tif 000012
【図１１】
2020074770.tif 000013
【図１２】
2020074770.tif 000014
【図１３】
2020074770.tif 000015
【図１４】
2020074770.tif 000016
【図１５】
2020074770.tif 000017
【図１６】
2020074770.tif 000018
【図１７】
2020074770.tif 000019
【図１８】
2020074770.tif 000020